(57)【要約】【課題】  従来は、傘を傘立てに挿すか、傘の取っ手を椅子の背もたれに掛けるか、椅子やテーブルなどに立て掛けたり、床に倒しておくなど、一時保管がし難いと言う問題があった。これは、傘の取っ手部分をテーブルの端に掛けても、取っ手部分の摩擦抵抗が少ないために、テーブル面で滑り、傘全体が滑り落ちてしまうためである。【解決手段】  傘の取っ手部分をテーブルになどの台に掛けて一時保管する際、傘の取っ手部とテーブル面との接触部分に、ゴムなどの摩擦抵抗の大きな素材を取り付ける事でテーブル面との摩擦抵抗を増大させ、振動や揺れなどで傘の取っ手部分がテーブル面を滑って、傘全体が落下する事が防止できる。【選択図】図１
0003135637.tif 000002
【実用新案登録請求の範囲】
【請求項１】
傘の取っ手をテーブルなどの台に掛けて一時保管をする際、取っ手部分が台から滑り、傘全体が落下する事を防止するための、摩擦抵抗を増加させる傘落下防止器具に関する。
【考案の詳細な説明】
【技術分野】
【０００１】  本考案は、傘の取っ手をテーブルなどの台に掛けて一時保管をする際に、取っ手部分が台から滑り傘全体が落下する事を防止するための、摩擦係数を増加させる傘落下防止器具に関する。
【背景技術】
【０００２】  従来の傘の一時保管方法は、傘立てにさす、椅子の背もたれに掛ける、床に倒して置く、テーブルや椅子に立て掛けて置く、などの方法がある。【０００３】
【特許文献１】特許公開２０００−２６２３１５傘の先端部分にゴム製のキャップを掛けて滑りを防止する方法が考案されているが、傘から滴下する水滴により、ゴム製のキャップと床面との間の摩擦抵抗が減少してしまうと言う問題があった。【０００３】  盗難や取り違え、通行や動作の妨げになる、倒れ易く立て掛け直す手間が掛かる、などの問題があった。
【考案の開示１】
【考案が解決しようとする課題】
【０００４】
【０００５】  本考案は、傘の取っ手をテーブルなどの台に掛けて一時保管する際に、取っ手と台の間の摩擦係数が低く、傘や周囲の振動・揺れなどにより、取っ手部分が台上を滑り、傘全体が落下してしまう事を防止するための物である。
【考案の効果】
【０００６】  本考案の傘落下防止器具は、傘の取っ手部分を台に掛けても、傘が落下する事無く安定して一時保管装着する事が可能になる、と言う利点がある。
【考案を実施するための最良の形態】
【０００７】  柔軟性と弾性変形率に富み、摩擦係数の高い素材を用いる事で、傘の取っ手の素材に関わらず効果を発現する事ができる。
【図面の簡単な説明】
【０００８】
【図１】傘落下防止器具の実施方法を示した説明図である。（実施例１）
【０００９】
【図２】傘落下防止器具の実施例１の正面図である。
【００１０】
【図３】傘落下防止器具の実施例１の上面図である。
【００１１】
【図４】傘落下防止器具の実施例１〔図１〕の断面図である
【符号の説明】
【００１２】１  傘落下防止器具
２  傘の取っ手部
３  台
【図１】
0003135637.tif 000003
【図２】
0003135637.tif 000004
【図３】
0003135637.tif 000005
【図４】
0003135637.tif 000006
【手続補正書】
【提出日】平成19年4月14日(2007.4.14)
【手続補正１】
【補正対象書類名】実用新案登録請求の範囲
【補正対象項目名】全文
【補正方法】変更
【補正の内容】
【実用新案登録請求の範囲】
【請求項１】
傘の取っ手をテーブルなどの台に掛けて一時保管をする際、取っ手部分が台から滑り、傘全体が落下するのは、取っ手部が滑ろうとする水平方向のエネルギーベクトルに対して、傘の自重による垂直方向のエネルギーベクトルの合成による合成ベクトルの角度が浅いために、傘の取っ手部と台との間の摩擦抵抗を上回ってしまい落下してしまうが、柔軟性に富み弾性変形し微細な凸凹を有する素材で構成されている傘落下防止器具は、傘の自重で台に押し付けられた際に弾性変形を生じ、台の表面と傘落下防止器具表面を接近させて、より強い分子間引力を生じ、傘の取っ手部が滑ろうとする水平方向のエネルギーベクトルに対し、垂直方向のエネルギーベクトルを生じ、合成されるエネルギーベクトルを、より垂直に近い角度に修正し、弾性変形した傘落下防止器具には原型に戻ろうとする復元力が常に働き続け、傘の取っ手部が滑ろうとする方向とは逆方向で水平のエネルギーベクトルが合成され、傘の取っ手部が滑ろうとする水平方向のエネルギーベクトルを減殺する。
分子間引力と復元力の二つの力により、傘の取っ手が台から滑り落ちようとするエネルギーベクトルの大きさと角度を減殺修正する事で傘の落下を防止する、傘落下防止器具である。
【手続補正書】
【提出日】平成19年6月23日(2007.6.23)
【手続補正１】
【補正対象書類名】実用新案登録請求の範囲
【補正対象項目名】全文
【補正方法】変更
【補正の内容】
【実用新案登録請求の範囲】
【請求項１】
傘の取っ手をテーブルなどの台に掛けて一時保管をする際において、
（１）柔軟性に富み弾性変形し微細な凸凹を有する素材で構成し、
（２）弾性変形の際に台と傘落下防止器具表面の分子間距離を接近させ分子間引力を発現させ、
（３）弾性変形により、垂直方向に複数のエネルギーベクトルを生じ、横に滑ろうとする力とで合成されるエネルギーベクトルを垂直に近い角度に修正し、
（４）弾性変形した傘落下防止器具が原型に戻ろうとする復元力を常に働かせ続ける事で、傘の取っ手部が滑ろうとする水平方向とは逆方向で、大きさで上回るのエネルギーベクトルを合成し、
（５）さらに、分子間引力と、落下に働く合成エネルギーベクトルを上回る、落下とは逆に働くエネルギーベクトルを合成し、
（６）落下に働く合成エネルギーベクトルを相殺する事で、傘の落下を防止する
以上からなる、傘落下防止器具。
【手続補正２】
【補正対象書類名】明細書
【補正対象項目名】全文
【補正方法】変更
【補正の内容】
【考案の詳細な説明】
【技術分野】
【０００１】  本考案は、傘の取っ手をテーブルなどの台に掛けて一時保管をする際に、取っ手部分が台から滑り傘全体が落下する事を防止するため、柔軟性と弾性変形に富む素材を用い、効果的に分子間引力とベクトル変換を発現させるための、傘落下防止器具。
【背景技術】
【０００２】  従来の傘の一時保管方法は、傘立てにさす、椅子の背もたれに掛ける、床に倒して置く、テーブルや椅子に立て掛けて置く、などの方法がある。【０００３】
【特許文献１】特許公開２０００−２６２３１５傘の先端部分にゴム製のキャップを掛けて滑りを防止する方法が考案されているが、傘から滴下する水滴により、ゴム製のキャップと床面との間の摩擦抵抗が減少してしまうと言う問題があった。【０００３】  盗難や取り違え、通行や動作の妨げになる、倒れ易く立て掛け直す手間が掛かる、などの問題があった。
【考案の開示１】
【０００４】
【考案が解決しようとする課題】
【０００５】  本考案は、傘の取っ手をテーブルなどの台に掛けて一時保管する際に、取っ手と台の間の摩擦係数が低く、傘や周囲の振動・揺れなどにより、取っ手部分が台上を滑り、傘全体が落下してしまう事を防止するための物である。
【考案の効果】
【０００６】  本考案の傘落下防止器具は、傘の取っ手部分を台に掛けても、傘が落下する事無く安定して一時保管装着する事が可能になる、と言う利点がある。
【考案を実施するための最良の形態】
【０００７】  柔軟性と弾性変形率に富み、摩擦係数の高い素材を用いる事で、効果的に分子間引力とベクトル変換を発現させ、傘の取っ手の素材に関わらず効果を発現する事ができる。
【図面の簡単な説明】
【０００８】
【図１】  傘落下防止器具の実施方法を示した説明図である。（実施例１）
【０００９】
【図２】  傘落下防止器具の実施例１の正面図である。
【００１０】
【図３】  傘落下防止器具の実施例１の上面図である。
【００１１】
【図４】  傘落下防止器具の実施例１（［図１］）の断面図である
【符号の説明】
【００１２】  １  傘落下防止器具
２  傘の取っ手部
３  台